(57)【特許請求の範囲】
【請求項１】
本体と、この本体の所定部位に装着して使用する装着体とを備えた体液測定装置であって、
上記装着体は、皮膚当接面と、この皮膚当接面に沿うように配置されるとともに、厚み方向に貫通する貫通穴と、厚み方向の内部に形成され、内面に反応部が臨む体液通路とを有する板状のセンサと、尖端が上記貫通穴を通過して皮膚当接面から突出する進出位置と尖端が皮膚当接面から没入する退避位置との間を移動可能な穿刺体とを備えており、
上記本体は、上記穿刺体を前進駆動してこの穿刺体に進出位置をとらせるための駆動機構を備えており、かつ、
上記センサは、進出位置をとらせた上記穿刺体によって穿刺された皮膚から出液した体液が上記貫通穴から上記体液通路を通って毛管現象によって反応部に導かれるように構成されていることを特徴とする、ランセット一体型体液測定装置。
【請求項２】
上記装着体の上記皮膚当接面における上記センサが配置された領域以外の部位に、皮膚に負圧を作用させるための開口が設けられている、請求項１に記載のランセット一体型体液測定装置。
【請求項３】
上記装着体は、全体としてキャップ状を呈している、請求項１または２に記載のランセット一体型体液測定装置。
【請求項４】
上記センサは、作用極と対極とが上面に形成されたベース板と、上記作用極と対極のそれぞれの一部を臨ませて溝を形成するように上記ベース板上に重ね合わされたスペーサと、上記溝の一部または全部に反応試薬層を形成した反応部と、上記スペーサに重ね合わされたカバー板とを備えて構成されており、上記溝とカバー板とで囲まれる空間が上記体液通路を形成しているとともに、上記作用極および上記対極とそれぞれ導通して本体の端子と接触させられる端子部が上記ベース板の上面適部に配置されている、請求項１ないし３のいずれかに記載のランセット一体型体液測定装置。
【請求項５】
上記装着体におけるセンサは、作用極が上面に形成されたベース板と、上記作用極の一部を臨ませて溝を形成するように上記ベース板上に重ね合わされたスペーサと、上記スペーサに重ね合わされ、下面に上記溝に臨む対極が形成されたカバー板と、上記作用極に接触するように上記溝に第１の試薬層を形成した第１の反応部と、上記対極に接触するように上記カバー板の下面に第２の試薬層を形成した第２の反応部とを備えて形成されており、上記溝とカバー板とで囲まれる空間が上記体液通路を形成している一方、上記作用極と導通して本体の端子と接触させられる第１の端子部が上記ベース板の上面適部に配置されているとともに、上記対極と導通して本体の端子と接触させられる第２の端子部が上記カバー板の上面に配置されている、請求項１ないし３のいずれかに記載のランセット一体型体液測定装置。
【請求項６】
上記カバー板は、導体板によって形成され、その下面が対極として機能させられるとともに、上面適部が第２の端子部として機能させられる、請求項５に記載のランセット一体型体液測定装置。
【請求項７】
請求項１ないし６のいずれかに記載のランセット一体型体液測定装置における、本体に装着して使用する装着体。
【発明の詳細な説明】
【技術分野】
【０００１】
本願発明は、血中グルコース濃度（以下、「血糖値」という。）等、体液に含まれる被検知物質を測定することができ、なおかつ、皮膚からの体液採集と測定とを一体の操作によって行うことができるように構成された、ランセット一体型の体液測定装置に関する。
【背景技術】
【０００２】
糖尿病の治療には、患者の血糖値を正常範囲に保つことが必要であり、患者自らによる血糖値管理が重要な治療法である。とくに、患者自身によるインスリン注射によって血糖値を正常範囲に維持する場合には、患者自身による適宜の血糖値測定が欠かせない。
【０００３】
このような目的に使用する携帯型の血糖値測定装置がすでに市販されており、その一例は、たとえば特許文献１に示されている。この血糖値測定装置は、酵素電極を有する使い捨て式の試験片を本体に挿着して使用される。試験片に検体である血液を触れさせると、その血液の一部が毛管現象により反応部に引き込まれ、酵素反応および電気化学反応を介して陽極電流が生じる。この陽極電流が装置本体内で血糖値に換算され、表示される。
【０００４】
ところで、上記のような測定装置の試験片に接触させる検体、すなわち血液の採取は、たとえば特許文献２に示されているような、ランセットと呼ばれる器具を用いて行うのが一般的である。このランセットは、患者の指先等の皮膚に小さな孔を開ける（傷をつける）ための器具であり、こうして開けられた孔から出液させた血液を上記した試験片の所定の部位に触れさせることにより、比較的簡便に血糖値の自己測定をすることができる。
【０００５】
しかしながら、上記した従来一般的な血糖値自己測定方法においては、検体である血液を採取するためのランセットと測定装置とが別体であるが故に、両者を携行せねばならない不便さとあいまって、ランセットによって皮膚に傷をつける動作と、傷から出液した血液を試験片に触れさせるという動作との二つの動作をする必要があり、使い勝手においていまだ改善の余地がある。とりわけ、試験片に血液を触れさせる動作については、必要量の血液を試験片の定められた部位に触れさせる必要があり、不慣れな患者、あるいは視力が低下した患者にとってこのような動作を行う場合、あるいは本人が直接視認できない耳たぶから採血する場合には、上記したような傷から出液させた血液を迅速適正に試験片に触れさせることはきわめて困難である。
【０００６】
また、試験片は、先端の孔から反応部に設けた面的な酵素電極に毛管現象によって血液を引き込むように構成されているため、必要量の血液を反応部に到達させるには、３〜５μｌの血液を試験片に触れさせる必要がある。この血液量が不足すると、あるいはこの量の血液が試験片の先端孔を囲むわずかな領域に適正に付着させられないと、正確な測定ができなくなってしまう虞れがある。特に幼児や老人等、傷から出液させる血液量が充分でない場合には、このような事態が頻発しうる。
【０００７】
上記のような不具合を一応解決しようとするものとして、特許文献３には、装置に組み込まれたランセットによって皮膚に傷をつける操作を行うだけで、装置に組み込まれたセンサが皮膚から出液した血液の測定を行うようにした、ランセット一体型血糖値測定器が提案されている。しかしながら、同公報に示されたものは、使用に際してランセット針とセンサとを別々に装置の所定位置にセットせねばならず、使い勝手の面でいまだ改善の余地が残されている。
【０００８】
【特許文献１】特公平８−２０４１２号公報
【特許文献２】特開平９−２６６８９８号公報
【特許文献３】特開平１０−２８６８３号公報
【発明の開示】
【発明が解決しようとする課題】
【０００９】
本願発明は、このような事情のもとで考え出されたものであって、測定のために患者に求められる動作をより簡単なものとして使い勝手をさらに高めることができるとともに、必要検体量を著しく低減して測定の確実性を高めることができるランセット一体型体液測定装置を提供することをその課題としている。
【課題を解決するための手段】
【００１０】
上記の課題を解決するため、本願発明では、次の技術的手段を講じている。
【００１１】
本願発明によって提供される体液測定装置は、本体と、この本体の所定部位に装着して使用する装着体とを備えた体液測定装置であって、
上記装着体は、皮膚当接面と、この皮膚当接面に沿うように配置されるとともに、厚み方向に貫通する貫通穴と、厚み方向の内部に形成され、内面に反応部が臨む体液通路とを有する板状のセンサと、尖端が上記貫通穴を通過して皮膚当接面から突出する進出位置と尖端が皮膚当接面から没入する退避位置との間を移動可能な穿刺体とを備えており、
上記本体は、上記穿刺体を前進駆動してこの穿刺体に進出位置をとらせるための駆動機構を備えており、かつ、
上記センサは、進出位置をとらせた上記穿刺体によって穿刺された皮膚から出液した体液が上記貫通穴から上記体液通路を通って毛管現象によって反応部に導かれるように構成されていることを特徴とする。
【００１２】
装着体は、たとえば使い捨て消耗品として提供される。測定にあたって使用者は、上記装着体を本体の所定部位に装着する。皮膚当接面を指先や耳たぶ等の皮膚に押し当てながら本体の駆動機構を作動させると、退避位置にある穿刺体が進出させられて貫通穴を介してその尖端が皮膚当接面から突出し、皮膚に傷を付ける。これにより皮膚から出液した血液が上記貫通穴からセンサの厚み方向の内部に形成された体液通路を通って毛管現象によりセンサの反応部に導かれる。したがって、皮膚の傷から反応部までの距離が著しく短くなる。また、センサそのものが板状を呈していることから体液通路の容積をも小さくすることができる。このようなことから、測定に必要な血液量を著しく少なくすることができる。
【００１３】
このように、本願発明の体液測定装置においては、その装着体にあらかじめ穿刺体とセンサとが一体に組み込まれているので、使用者は、測定にあたり、装着体を本体に装着すればよく、ランセットと測定装置とを別々に用いる場合と比較すればもちろんのこと、ランセット針とセンサとを別個に装置の所定の部位にセットする必要のある従来のランセット一体型血液測定装置に比較しても、その使い勝手が著しく向上する。
【００１４】
好ましくは、上記装着体の上記皮膚当接面における上記センサが配置された領域以外の部位に、皮膚に負圧を作用させるための開口が形成されている。このように構成すると、皮膚表面を鬱血状態として穿刺体により傷を付けることができるので、充分な量の血液を出液させることができ、測定がより確実なものとなる。
【００１５】
好ましくは、上記装着体は、キャップ状を呈している。このような構成によれば、この装着体をより簡易に、本体の所定部位に装着することができる。
【００１８】
好ましくは、上記装着体におけるセンサは、作用極と対極とが上面に形成されたベース板と、上記作用極と対極のそれぞれの一部を臨ませて溝を形成するように上記ベース板上に重ね合わされたスペーサと、上記溝の一部または全部に反応試薬層を形成した反応部と、上記スペーサに重ね合わされたカバー板とを備えて構成されており、上記溝とカバー板とで囲まれる空間が上記体液通路を形成しているとともに、上記作用極および上記対極とそれぞれ導通して本体の端子と接触させられる端子部が上記ベース板の上面適部に配置されている。
【００１９】
好ましくは、上記装着体におけるセンサは、作用極が上面に形成されたベース板と、上記作用極の一部を臨ませて溝を形成するように上記ベース板上に重ね合わされたスペーサと、上記スペーサに重ね合わされ、下面に上記溝に臨む対極が形成されたカバー板と、上記作用極に接触するように上記溝に第１の試薬層を形成した第１の反応部と、上記対極に接触するように上記カバー板の下面に第２の試薬層を形成した第２の反応部とを備えて形成されており、上記溝とカバー板とで囲まれる空間が上記体液通路を形成している一方、上記作用極と導通して本体の端子と接触させられる第１の端子部が上記ベース板の上面適部に配置されているとともに、上記対極と導通して本体の端子と接触させられる第２の端子部が上記カバー板の上面に配置された構成とすることもできる。
【００２０】
このように構成すれば、ベース板にスクリーン印刷を施す等によって作用極あるいは対極を容易に形成することができるとともに、板状部品を積層するという簡便な手法により、厚み方向の内部に体液通路が適正に形成された板状センサを簡便に作製することができる。
【００２１】
なお、本願発明の体液測定装置を血糖値測定用に構成する場合、センサの反応部に配置する反応試薬としては、たとえば、酸化酵素であるグルコースオキシターゼおよびメディエータとしてのフェリシアン化カリウムを含むものが採用される。
【００２２】
上記反応部が血液によって溶解されると、数１に示される酵素反応が開始される結果、反応層に共存させているフェリシアン化カリウムが還元され、還元型の電子伝達体であるフェロシアン化カリウムが蓄積される。その量は、基質濃度、すなわち血液中のグルコース濃度に比例する。一定時間蓄積された還元型の電子伝達体は、数２で示される電気化学反応により、酸化される。測定装置本体内の電子回路は、このとき測定される陽極電流から、グルコース濃度（血糖値）を演算・決定し、上述したように、本体表面に配置された表示器に表示する。
【００２３】
【数１】
0004635140.tif 000002
【００２４】
【数２】
0004635140.tif 000003
【００２５】
このように、本願発明に係る体液測定装置によれば、使い捨て用として提供される装着体を本体に装着した上で、この装着体の皮膚当接面を患者の指先や耳たぶに押し当てた状態を保持しつつ、あたかも従来のランセットを扱うようにして穿刺体を突出させるという操作をするだけで、それ以上の操作、あるいは動作を要することなく、血糖値等の体液測定を適正に行うことができる。また、測定に必要な検体量が少なくてすむので、患者の負担が軽減される。
【００２６】
本願発明のその他の特徴および利点は、図面を参照して以下に行う詳細な説明から、明らかとなろう。
【発明を実施するための最良の形態】
【００２７】
以下、本願発明の好ましい実施の形態を図面を参照しつつ、説明する。図１は、本願発明に係る体液測定装置の全体外観図、図２は、穿刺体が退避した状態における装着体の詳細を示す拡大縦断面図であり図４のII−II線に沿う断面に相当する図、図３は、穿刺体が進出した状態における装着体の詳細を示す拡大縦断面図、図４は、装着体の底面図、図５は、センサを外した状態での装着体の底面図である。
【００２８】
図１ないし図３に示されるように、本願発明に係る体液測定装置10は、本体20と装着体30とを組み合わせて使用される。本体20は、その上面にスイッチボタン類、ＬＣＤ表示器22などが配置されている。この本体20の前部には筒状部21が延出形成されており、その先端部には、後に詳しく説明するキャップ状の装着体30が装着されている。また、この本体20の内部には、装着体30が備える穿刺体31を前進駆動するための駆動機構（23，32）、および、マイクロコンピュータ等の回路等が内蔵される。図１において符号23は、上記駆動機構の一部を構成し、使用者が手動によって押圧するための押圧部を示している。
【００２９】
図２ないし図５に装着体30の一例の詳細を示す。この装着体30は、円筒部34と、この円筒部34の先端を塞ぐように位置する底壁部35とを備える大略キャップ状をしており、その主要部分は樹脂成形によって作製される。円筒部34の内径は、本体20の前部筒状部24の外径と対応させられており、この前部筒状部24に被せるように係合させることにより、簡便に本体20の所定部位に装着することができる。底壁部35の外面は、使用者の皮膚に当接する皮膚当接面35ａとして機能させられる。
【００３０】
このキャップ状の装着体30の底壁部35には、穿刺体31と、板状のバイオセンサ36とが一体に組み込まれる。底壁部35には、円筒壁35ｂと底壁35ｃとを有する円筒状の陥没部35Ａがこの装着体30の中心位置に形成され、この陥没部35Ａの底壁35ｃには、中心孔35ｄが開けられている。
【００３１】
一方、穿刺体31は、上記中心孔35ｄにスライド可能に嵌合するガイド軸部31ａとこのガイド軸部31ａの一端に一体形成されたフランジ部31ｂとを有する樹脂製のガイド体31Ａに金属製の穿刺針31ｃを一体にインサートした形態をもっており、フランジ部31ｂと後述する板状バイオセンサ36の上面との間に介装された弾性体37により、常時図２に示す退避位置、すなわち、フランジ部31ｂが陥没部35Ａの底壁35ｃに当接する位置に向けて付勢されている。この退避位置において、ガイド軸部31ａの後端は底壁35ｃの内側に突出した状態となり、穿刺針31ｃは、後述する板状バイオセンサ36の裏側に退避した状態となる。上記のように穿刺体31を退避位置に向けて付勢する弾性体37の態様としては、図２および図３に示されるように金属あるいは樹脂でできた圧縮コイルバネを用いるほか、発泡ウレタン等の形態とすることができる。このように弾性体37を発泡ウレタンの形態とし、穿刺体31が退避位置をとるとき穿刺針31ｃがこの発泡ウレタンの内部に埋没するようにしておくと、この穿刺針が外物に触れる機会を少なくすることができるので、衛生的である。また、上記弾性体37は、樹脂製のガイド体31Ａと一体成形された板状バネの形態とすることができる。
【００３２】
装着体30の底壁部35にはまた、上記穿刺体31が収容された陥没部35Ａを覆うようにして、板状バイオセンサ36が貼着される。このバイオセンサ36は、図６ないし図８に示したように穿刺体31の穿刺針31ｃが通過しうる貫通穴36ａと、この貫通穴36ａと連通して厚みのなかを底壁部35と平行に延びる体液通路36bを備え、この体液通路36bの内壁に反応部36ｋが形成された構成を備えている。
【００３３】
より具体的には、このバイオセンサ36は、上面に作用極36ｃおよび対極36ｄが膜形成された絶縁ベース板36Ａと、作用極36ｃおよび対極36ｄの一部を露出させる溝36ｅを形成するように絶縁ベース板36Ａ上に積層された板状スペーサ36Ｂ，36Ｂと、この板状スペーサ36Ｂ，36Ｂにさらに積層された板状カバー36Ｃとを備えている。以下、この板状バイオセンサ36の作製工程を説明する。
【００３４】
図９に示すように、たとえば０．２ｍｍの厚みをもつ樹脂製絶縁シートからなる平面視長矩形状のベース板36Ａが準備される。このベース板36Ａには、あらかじめたとえば１．５ｍｍ径の貫通穴361aが形成されている。このベース板36Ａの上面には、グラファイトインクを用いたスクリーン印刷の手法により、作用極36ｃと対極36ｄとが膜状に形成される。作用極36ｃは、端子部となるべき端部領域36ｆ（作用極36ｃに斜線のみを施した領域）から細状の突出部36ｇが延出形成された平面形態をもち、一方、対極36ｄは、端子部となるべき端部領域36ｈ（対極36ｄに斜線のみを施した領域）から上記作用極36ｃ側の突出部36ｇを両側から挟むように二股状に延びる突出部36ｉ，36ｉをもつ平面形態をもっている。貫通穴361aは、対極36ｄの一方の突出部36ｉと近接して位置している。なお、上記作用極36ｃおよび対極36ｄは、金や白金などの貴金属を蒸着するとともにエッチング処理して所定のパターンを作ることによって形成することもできる。
【００３５】
次に、作用極36ｃおよび対極36ｄの各突出部36ｇ，36ｉ，36ｉが縦方向に並ぶ帯状領域と、作用極36ｃおよび対極36ｄの各端部領域36ｆ，36ｈを残してレジスト層36ｊ（実線と一点鎖線で斜線を施した領域）を印刷形成する。
【００３６】
続いて、上記レジスト層36ｊに重ねるようにして、レジスト層36ｊと同等の平面形状を有するスペーサ板36Ｂ，36Ｂを配置する。このスペーサ板36Ｂとしては、たとえば厚み０．２ｍｍの樹脂製の板が採用され、表裏面に粘着剤層を設けた両面テープ態様のものが使用される。これにより、スペーサ板36Ｂ，36Ｂで挟まれる凹溝36ｅが形成され（図８参照）、かつこの凹溝36ｅの底部の帯状の領域に上記作用極36ｃと対極36ｄの各突出部36ｇ，36ｉ，36ｉが並んで露出する格好となる。なお、上記凹溝36ｅの幅は、たとえば１．５ｍｍ、長さはたとえば３ｍｍに設定される。
【００３７】
次に、上記凹溝36ｅの底部の帯状の領域に、図８に良く表れているような反応試薬層36ｋを形成する。血糖値測定用のセンサとして構成する場合、この反応試薬は、酸化酵素であるグルコースオキシターゼおよびメディエータとしてのフェリシアン化カリウムを含むものが採用される。反応試薬層36ｋはたとえば分注法により形成される。
【００３８】
次に、図９に示したように各スペーサ板36Ｂ，36Ｂに重ねるようにして、上記ベース板36Ａの貫通孔361aと対応する貫通孔362bを有する平面視矩形状のカバー板36Ｃを重ね合わせてこのバイオセンサ36が完成する。すなわち、図６ないし図８に表れているように、上記ベース板36Ａとスペーサ板36Ｂ，36Ｂとで形成された凹溝36ｅをカバー板36Ｃで塞ぐことによって縦方向に延びる断面横長矩形状の体液通路36ｂが形成され、かつ、この体液通路36ｂの内面に、作用極36ｃおよび対極36ｄに接触する試薬層36ｋ（反応部）が形成され、かつ、この体液通路36ｂはこの板状バイオセンサ36の貫通穴36ａに連通させられることとなる。また、体液通路36ｂにおける上記貫通穴36aの位置と反対側は、開放させられて
おり、後述するように貫通穴36ａを介してこの体液通路36ｂないし反応部36ｋに毛管現象によって体液（血液）が導入されるのを促す。この体液通路36ｂの容積は、前述した凹溝36ｅの幅、長さ、およびスペーサ板36Ｂ，36Ｂの厚み寸法から、１．５ｍｍ×３ｍｍ×０．２ｍｍ＝０．９μｌとなるが、試薬層36ｋの固形分体積約０．２μｌを差し引くと、この体液通路36ｂの実質容積は約０．7 μｌというきわめて小さなものとなる。
【００３９】
上記のように形成された板状バイオセンサ36は、図２に良く表れているように装着体30の底壁部35に、穿刺針31ｃの位置とバイオセンサ36の貫通穴36ａの位置とが一致するようにして貼着される。なお、図４および図５に表れているように、装着体30の底壁部35には、バイオセンサ36のベース板36Ａの両端部に露出する作用極36ｃおよび対極36ｄ用の端子部36ｆ，36ｈと対応する丸穴362c，362dが形成されている。この丸穴362c，362dは、装着体30を本体20に装着したときに、本体20側のコネクタピン25ａ，25ａの先端を上記端子部36ｆ，36ｈに接触させるためのものである。装着体30の底壁部35にはまた、バイオセンサ貼着領域を挟むようにして弓形の開口36ｍ，36ｍが形成されている。この開口36ｍは、装着体30の底壁部35を皮膚当接面35ａとして皮膚に当接させた状態において、皮膚に負圧を作用させるためのものである。
【００４０】
一方、本体20の筒状部21には、コネクタピン25ａ，25ａの先端がこの筒状部21の前面に弾性的に突出するようにして、一対のピンコネクタ25，25が組み込まれている。このピンコネクタ25，25は、図１０に示したように電子回路33に接続されている。この電子回路33は、マイクロコンピュータなどで構成され、後述するようにバイオセンサ36内で生じる酵素反応および電気化学反応によって生じる作用電流から検量線を用いて血糖値等の被検知物質の測定値を決定するとともに、これを本体20の表面に配した表示器22に表示する機能をもたせてある。さらに、本体20には、図２および図３に示したように上記押圧部23によって押圧駆動される押圧ロッド32がその軸線方向（図中に矢印で示した方向）に移動可能であり、かつバネによって常時後方側に付勢されながら組み込まれて駆動機構23，32が構成されている。なお、駆動機構23，32としては、これに限らず、軸方向移動可能であってしかも軸方向の中立位置に弾性復帰するように押圧ロッド32を設け、この押圧ロッド32を後方に引き絞ってラッチ保持し、ラッチ解除ボタンを押すことでこの押圧ロッド32を勢い良く前方発射させ、この押圧ロッド32が穿刺体31のガイド軸部31ａの後端を勢いよく打ちつけ、これにともなって穿刺針31ｃが瞬間的に皮膚当接面35ａから突出するように構成することも可能である。また、図示しない吸引シリンダ機構を本体20に内蔵させることにより、筒状部21の先端に負圧を作用させることができるようにすることもできる。また、装着体30を本体20に装着したときにバイオセンサ36の端子部と導通接触するべく本体20に設ける端子は、前述したように常時ピンが弾性的に突出するピンコネクタの形態とするほか、たとえば、装着体30の本体20への装着と連動して、装着体30が装着されていないときに
は端子ピンが本体内に退動しており、装着体30が装着されると端子ピンが本体から突出してバイオセンサの端子部との適切な導通接触が図られるように構成することも可能である。
【００４１】
次に、上記構成を備える体液測定装置10の使用方法ないし動作を図１ないし図４を参照しつつ説明する。
【００４２】
装着体30は、使い捨て消耗品として提供され、体液測定装置10の使用にあたって使用者はこの装着体30を本体20の筒状部21に装着する（図１参照）。上記実施形態において装着体30はキャップ状をしているので、このような装着作業は容易に行える。装着体30が装着されると、図２に表れているように本体側のコネクタピン25ａ，25ａの先端が装着体30の底壁部35の丸穴362c，362dを介してバイオセンサ36のベース板36Ａ両端上面に配置された端子部36ｆ，36ｈに自動的に接触する。
【００４３】
装着体30の底壁部35の表面、すなわち皮膚当接面35ａを患者の皮膚の適当な部位、たとえば指先や耳たぶに押し当てた状態で、押圧部23を押下する。そうすると、本体20の内部の押圧ロッド32の先端が穿刺体31のガイド軸部31ａの後端部を押し、押圧ロッド32が装着体30の陥没部35Ａの裏側に当接するまでのストロークをもって穿刺体31を弾性体37の弾力に抗して前方に押し出す。このとき、穿刺体31の穿刺針31ｃは、バイオセンサ36の貫通孔36ａをとおってバイオセンサ36の下面、すなわち、皮膚当接面35ａから所定長さ突出する（図３の状態）。押圧部23への押圧を解除すると、押圧ロッド32はバネの弾力によって元の位置まで復帰動し、また、穿刺体31もまた弾性体37の弾力によって穿刺針31ｃが皮膚当接面35ａから没入する退避位置まで復帰する（図２の状態）。
【００４４】
皮膚当接面35ａからの穿刺針31ｃの突出により、皮膚に適度な傷がつけられ、この傷から出液した血液が、毛管現象により、貫通孔36ａを介してバイオセンサ36内の体液通路36ｂに導入させられる。貫通孔36ａは穿刺針31ｃが通過する孔であるため、この貫通孔36ａは皮膚の傷、すなわち出液部にきわめて近接している。そうして、前述したように、バイオセンサ36内の体液通路36ｂの実質容積はきわめて小さいため、少量の血液で体液通路36ｂを充満させることが可能である。したがって、出液部の血液量をいちいち黙視確認するまでもなく、皮膚当接面35aを皮膚に押し付けたまま上記の操作をし、かつ皮膚当接面35
ａを皮膚に押し付けた状態を所定時間保持するだけで、測定に必要十分な血液をセンサ中の体液通路36ｂに導入することができる。なお、前述したように、吸引シリンダ機構を本体に付加し、装着体30の前面の皮膚当接面35ａの開口36ｍを介して皮膚に負圧を作用させながら上述した操作をすると、鬱血状態の皮膚に穿刺針31ｃで傷を付けることができるため、より充分な量の血液を出液させることができる。
【００４５】
バイオセンサ36内の体液通路36ｂ内において、反応試薬（反応部36ｋ）が血液によって溶解されると、以下の数３に示される酵素反応が開始される結果、反応部36ｋに共存させているフェリシアン化カリウムが還元され、還元型の電子伝達体であるフェロシアン化カリウムが蓄積される。
【００４６】
【数３】
0004635140.tif 000004
【００４７】
フェロシアン化カリウムの蓄積量は、基質濃度、すなわち血液中のグルコース濃度に比
例する。一定時間蓄積された還元型の電子伝達体は、以下の数４に示される電気化学反応により、酸化される。
【００４８】
【数４】
0004635140.tif 000005
【００４９】
測定装置本体20内の電子回路33は、このとき測定される作用電流から、グルコース濃度（血糖値）を演算・決定し、好ましくはたとえば本体20表面に配置されたＬＣＤ表示器２２に表示する。
【００５０】
このように、上記体液測定装置10によれば、装着体30を本体20の所定部位に装着するという簡単な前準備をした後、装着体30の前面の皮膚当接面35ａを患者の指先や耳たぶ等に押し当てた状態を保持しつつ、あたかも従来のランセットを扱うようにして穿刺針31ｃを突出させるという操作をするだけで、それ以上の操作、あるいは動作を要することなく、血糖値等の体液測定を適正に行うことができる。
【００５１】
図１１ないし図１３は、バイオセンサ36の他の構造例を示す。このバイオセンサ36は、ベース板36Ａと、スペーサ板36Ｂ，36Ｂと、カバー板36Ｃとを備える点では前述のバイオセンサ36と同様であるが、ベース板36Ａには作用極36ｃのみが形成され、カバー板36Ｃとして導電性金属を用いることにより、このカバー板36Ｃの内面を対極36ｄとして機能させている。より具体的には、ベース板36Ａには、図１１に示すようなパターンの作用極36ｃが形成される。そして、図１２および図１３に示すように、この作用極36ｃの内方の一部を露出させるようにして、所定の間隔をあけて２枚のスペーサ板36Ｂ，36Ｂが重ねられる。これにより、作用極36ｃの一部が底面に露出する凹溝36ｅが形成される。作用極36ｃの外方部は露出させられ、コネクタピン25ａ，25ａと接触する電極部36ｆとして機能する。凹溝36ｅの幅、長さ、深さは、それぞれ、前述の実施形態のものと同等に設定され、この凹溝36ｅとカバー体36Ｃとにより、体液通路36ｂが形成される。凹溝36ｅの底部には、反応試薬が塗布された反応部36ｋが形成される。このセンサ36を血糖値測定用に構成する場合、反応試薬として、前述したのと同様のものを用いることができる。カバー体36Ｃの上面適部は、コネクタピン25ａと接触する電極部36ｈとして機能させられる。このバイオセンサ36においても、図１１に良く表れているように穿刺針31ｃが通過する貫通孔36ａが上記体液通路36ｂに隣接して設けられている点もまた、前述の実施形態と同様である。そして、このバイオセンサ36は、前述の実施形態と同様にして、問題なく装着体30の底壁部35に貼着して使用することができる。
【００５２】
なお、図１１ないし図１３の構造のバイオセンサ36において、図１４に示したようにベース板36Ａに形成する作用極36ｃに接触するようにしてフェリシアン化カリウムを含む反応試薬層361k（第１反応部）を形成する一方、カバー体36Ｃの内面に酸化酵素であるグルコースオキシターゼおよびメディエータとしてのフェリシアン化カリウムを含む反応試薬層362k（第２反応部）を形成することによって反応部36ｋを形成する態様とすることも可能である。このようにすれば、酵素反応および電気化学反応を介して作用電流を検出するこの種のバイオセンサ36において、アスコルビン酸の影響を除去したより正確な測定が可能となる。
【００５３】
もちろん、この発明の範囲は上述した実施形態に限定されることはない。実施形態では、血糖値を測定するためのものとして説明されているが、測定対象は血糖値に限定されない。また、装着体の具体的形状およびバイオセンサの具体的構造は、種々変更可能である。本願発明の最も重要なポイントは、本体に装着して使用される好ましくは使い捨ての装
着体に穿刺体とバイオセンサとが一体的に組み込まれている点である。
【図面の簡単な説明】
【００５４】
【図１】本願発明に係る体液測定装置の全体外観図である。
【図２】穿刺体が退避した状態における装着体の詳細を示す拡大縦断面図であり、図４のII−II線に沿う断面に相当する図である。
【図３】穿刺体が進出した状態における装着体の詳細を示す拡大縦断面図である。
【図４】装着体の底面図である。
【図５】バイオセンサを外した状態での装着体の底面図である。
【図６】バイオセンサの平面図である。
【図７】図６のVII −VII 線に沿う断面図である。
【図８】図７における一点鎖線で囲まれた領域の拡大図である。
【図９】バイオセンサの分解斜視図である。
【図１０】電気的な構成を説明するための概略構成図である。
【図１１】バイオセンサの変形例を示す平面図である。
【図１２】図１１のXII −XII 線に沿う断面図である。
【図１３】図１２の一点鎖線Ｂで囲まれた領域の拡大図である。
【図１４】変形例のバイオセンサにおける反応部の変形例を示す要部を拡大した断面図である。
【符号の説明】
【００５５】
１０  体液測定装置
２０  本体
２３  押圧部（駆動機構を構成する）
２５ａ  コネクタピン（本体の端子としての）
３０  装着体
３１  穿刺体
３２  押圧ロッド（駆動機構を構成する）
３３  電子回路
３５ａ  皮膚当接面
３６  バイオセンサ
３６Ａ  ベース板（バイオセンサを構成する）
３６Ｂ  スペーサ板（バイオセンサを構成する）
３６Ｃ  カバー板（バイオセンサを構成する）
３６ａ  貫通孔（バイオセンサの）
３６ｂ  体液流路（バイオセンサの）
３６ｃ  作用極（バイオセンサの）
３６ｄ  対極（バイオセンサの）
３６ｅ  溝（バイオセンサの）
３６ｋ  反応部（バイオセンサの反応試薬層）
３６ｆ，３６ｈ  端子部（センサの電極としての）
３６１ｋ  第１反応部（変形例のバイオセンサの反応試薬層）
３６２ｋ  第２反応部（変形例のバイオセンサの反応試薬層）
【図１】
0004635140.tif 000006
【図２】
0004635140.tif 000007
【図３】
0004635140.tif 000008
【図４】
0004635140.tif 000009
【図５】
0004635140.tif 000010
【図６】
0004635140.tif 000011
【図７】
0004635140.tif 000012
【図８】
0004635140.tif 000013
【図９】
0004635140.tif 000014
【図１０】
0004635140.tif 000015
【図１１】
0004635140.tif 000016
【図１２】
0004635140.tif 000017
【図１３】
0004635140.tif 000018
【図１４】
0004635140.tif 000019